(57)【特許請求の範囲】
【請求項１】
容器に取着された噴霧器基体と、該噴霧器基体に取着され、ノズル保持筒を設けた吐出路の開閉切替部材と、該開閉切替部材に取着されたノズル部材とを具えたトリガ式噴霧器であって、
ノズル部材が、ノズル本体と、該ノズル本体と開閉切替部材とを連結するスパイラルパイプとからなり、ノズル本体が、ノズル保持筒に廻動自在に枢着され、容器の姿勢を傾けないで水平方向から垂直方向の範囲で所望する方向に噴霧するようにしたことを特徴とするトリガ式噴霧器。
【発明の詳細な説明】
【０００１】
【発明の属する技術分野】
本発明は、トリガ式噴霧器、とくに垂直方向に保持した容器の姿勢を傾けないで、容器に対して噴霧方向を水平方向から垂直方向までの範囲で自由に変えることができるトリガ式噴霧器に関する。
【０００２】
【従来の技術】
トリガ式噴霧器として、図７に示すように噴霧器基体ａを、キャップ７０を介して容器７１に取着し、器枠に取着したトリガ７２を操作することによって容器内の内容物を噴霧するようにしたトリガ式噴霧器は従来より周知である。
【０００３】
上記の噴霧器基体ａは、容器７１の口筒部に取着され、容器７１の縦方向（Ｙ方向）上方に配設され、下端に吸い上げパイプを取着した弁室部と、水平方向（Ｘ方向）に配設された吐出管部と、吐出管部に平行に水平方向に配設されたポンプ室部とを内蔵しており、噴霧器基体ａの吐出管７３の先端にノズル取着部材７４を装着し、該ノズル取着部材７４に流路の開閉を切替可能としたノズル部材７５を装着して、容器に対して水平方向（Ｘ方向）に内容液を噴霧するようにしている。
【０００４】
【発明が解決しようとする課題】
上記噴霧器は、吸い上げパイプの先端を内容液内に浸漬して内容液をポンプ室に吸い上げ噴霧するようにしており、容器の内容液を完全に吐出するため、吸い上げパイプの先端を容器の底部の一定個所に位置するようにしている。
そのために容器を傾けて上方向に噴霧しょうとしても、例えばパイプ先端が位置ｂにあると、内容物が容器内に充満されていないと吸い上げパイプの先端が液内に浸漬しないことになり、内容物が噴霧されないという問題があった。
【０００５】
とくに、洗剤などの使用にあたって、天井、レンジフードなど噴霧の対称物が上方にあると下から洗剤を吹き付けることができないので、脚立、踏み台などを用い、噴霧器を汚れた場所に対応させて位置させるよう容器を持ち上げる必要があって、洗剤を効果的に噴霧することができないという問題があった。
【０００６】
本発明は、上記の問題点を解決することを技術的課題として、容器を傾けなくても、噴霧方向を容器に対して上方にも噴霧できるようにしたトリガ式噴霧器を提供することを目的とする。
【０００７】
【課題を解決するための手段】
本発明は、上記の技術的課題を達成するため、トリガ式噴霧器として、容器に取着された噴霧器基体と、該噴霧器基体に取着され、ノズル保持筒を設けた吐出路の開閉切替部材と、該開閉切替部材に取着されたノズル部材とを具えたトリガ式噴霧器であって、ノズル部材が、ノズル本体と、該ノズル本体と開閉切替部材とを連結するスパイラルパイプとからなり、ノズル本体が、ノズル保持筒に廻動自在に枢着され、容器の姿勢を傾けないで水平方向から垂直方向の範囲で所望する方向に噴霧するようにしたことを特徴とする構成を採用する。
【０００８】
【発明の実施の形態】
次に、本発明の実施形態について、図面を参照して説明する。
図１において、Ａは、噴霧器基体で従来周知の噴霧器と同様に容器１の口筒部２に取着され、下端に吸い上げパイプを取着した弁室部と、水平方向に配設された吐出管部と、吐出管部に平行に水平方向に配設されたポンプ室部とを内蔵しており（図示しない）、キャップ３によって容器１の口筒部２に取着され、トリガ４を押圧操作することによってポンプを作動させ、容器から内容液を吸い上げ吐出させるようにしている。
Ｂは、噴霧器基体に取着された吐出路の開閉切替部材、Ｃは、開閉切替部材に装着されたノズル部材である。
【０００９】
図２に示すように、噴霧器基体Ａの吐出部の吐出管５先端には、ノズル取着部材６が取着されており、該ノズル取着部材６は、噴霧器基体Ａの吐出管５に連通する通孔７を設けた底壁８を有する嵌着筒体９と、外周に膨出部を設けた取付筒１０と、流路１１を形成した取付軸１２とを具えている。
【００１０】
図２，３に示すように開閉切替部材Ｂは、基部２０と該基部２０から突設されたノズル保持筒２１とからなっている。
基部２０は、ほぼ三角形の形状とした基板２２と該基板２２の周囲を囲む三角形状の周壁２３とを具えている。
前記基板２２の噴霧器基体Ａ側には、周壁２３の内側に、前記取付筒１０の外周に嵌合する内周に膨出部を設けた嵌合筒２４と、取付筒１０内周に係合する係合リング２５と、所定個所に流路２６を形成し、前記取付軸１２に取着される取付筒２７とが立設されている。
取付筒２７に対応する基板２２の反対側には、嵌着筒２８が立設されており、基板２２の中央には、通孔２９が穿設され、取付筒２７と嵌着筒２８を連通している。
【００１１】
開閉切替部材Ｂは、ノズル取着部材６に取着された時には、取付筒１０と嵌合筒２４のそれぞれの膨出部が係合して廻動自在に嵌合されるようになっている。開閉切替部材Ｂを廻動して取付軸１２に形成した流路１１と、取付筒２７に形成した流路２６とが合致する位置に廻動すると、通孔７、取付筒１０の内室、流路２６、流路１１、通孔２９を介して噴霧器基体Ａの吐出管５と開閉切替部材Ｂの嵌着筒２８内室とが連通されて吐出路が形成され、流路１１と流路２６とが合致しない位置に廻動すると、吐出管５と嵌着筒２８内室との連通が阻止され、吐出路が閉じられるようになっている。
【００１２】
ノズル保持筒２１は、基板２２に立設され、ほぼ４角形の筒体となっており、上壁３０と、側壁３１ａ，ｂと、ほぼ中央まで延設された底壁３２とから形成されている。
図１，３，示すように、ノズル保持筒２１の先端部は、ノズル部材Ｃの取着部となっており、側壁３１ａ，ｂにはノズル取着孔３３ａ，ｂが穿孔されており、側壁３１ａ，ｂ内面には、端縁からノズル取着孔３３ａ，ｂに至る先が細巾になった案内溝３４が形成されている。
上壁３０には、先端から所定の個所までに至る直線部３５と円弧部３６とからなる切り欠き３７が設けられている。
【００１３】
図２，５に示すようにノズル部材Ｃは、ノズル本体４０と、スパイラルパイプ４１と、該スパイラルパイプ４１を開閉切替部材Ｂおよびノズル本体４０に結合するジョイント４２，４３とからなっている。
【００１４】
ノズル本体４０は、取付筒４４と該取付筒４４に偏心して形成されたノズルチップ４５を装着したノズルチップ取付体４６とを具えている。
取付筒４４の所定個所には、取付軸４７が突設され、取付軸４７から離れた内方にフランジ４８が設けられている。
【００１５】
ノズルチップ取付体４６には、筒状のノズルチップ嵌合孔４９が穿設され、中央は、取付軸５０となっている。
ノズルチップ嵌合孔４９の底面の一部には、取付筒４４の内室５１と連通する通孔５２が穿孔され、該通孔５２に連通するよう取付軸５０の外周に流路５３が形成されている。
【００１６】
ノズルチップ４５は、中央にノズル孔５４を穿設した基板５５と、外周に膨出環を形成した嵌合筒５６とを具えている。
ノズルチップ４５は、その嵌合筒５６が前記ノズルチップ嵌合孔４９に嵌着されるようノズルチップ取付体４６に装着され、ノズル孔５４は、流路５３、通孔５２を介して取付筒４４の内室５１に連通されるようになっている。
【００１７】
ノズル本体４０のノズル保持筒２１への装着は、図３，４を参照して説明すると、ノズル本体４０の取付軸４７を、前記案内溝３４に沿って押し込み、ノズル取着孔３３ａ，ｂに嵌合させることによって装着する。
取付軸４７の外径は、ノズル取着孔３３ａ，ｂの内径よりやや大きく取っており、ノズル本体４０は、取付軸４７を軸として廻動可能であるとともに、廻動位置に保持されるようになっている。
【００１８】
ノズル本体４０の下方への廻動は、フランジ４８がノズル保持筒２１の上壁３０に接合することによってそれ以上の廻動が阻止され、上方への廻動は、取付筒４４が上壁３０の切り欠き３７の円形の底面に接合することによってそれ以上の廻動が阻止されるようになっている。
そのことによって、廻動範囲は、水平から垂直の方向まで９０°の角度範囲に設定されている。
【００１９】
図２に示すように、スパイラルパイプ４１は、その両端部６０，６１を直線状とし、中間部６２は螺旋状に捲回されており、螺旋状の中間部６２は長手方向に伸長するとともに自由に湾曲できるようになっている。
【００２０】
前記ジョイント４２，４３は、スリ割り６３を設け外周に膨出環を形成した筒体６４と、フランジ６５とからなり、それぞれのジョイント４２，４３は、前記開閉切替部材Ｂの嵌着筒２８および前記ノズル本体４０の取付筒４４内に嵌合可能となっている。
前記ジョイント４２，４３をスパイラルパイプ４１の両端部６０，６１に取着したときには、スリ割り６３が設けられているので、スパイラルパイプ４１の両端部６０，６１を圧着して保持することになり、また外周には膨出環が形成されているので、スパイラルパイプ４１の端部をそれぞれ開閉切替部材Ｂの嵌着筒２８とノズル本体４０の取付筒４４とに気密を保って結合するようになっている。
【００２１】
ノズル本体４０がノズル保持筒２１と同一方向に位置するときには、図２に示すように、スパイラルパイプ４１はノズル保持筒２１内に収納され、底壁３２の上面に密に捲回された状態で保持されるようになっており、図６に示すように、ノズル本体４０がノズル保持筒２１に対して垂直方向に位置するときには、ノズル本体４０が廻動されることによってスパイラルパイプ４１は伸長、湾曲され、スパイラルパイプ４１の一部はノズル保持筒２１外に引き出されるようになっている。
【００２２】
次に、本噴霧器の使用態様と作用効果について説明する。
使用時には、容器を縦方向（Ｙ方向）に維持し、ノズル本体４０を把持して廻動するとノズル保持筒２１に対して水平から垂直方向までの間の角度範囲に位置させることができ、ノズル本体４０の廻動に応じてスパイラルパイプ４１が伸縮湾曲するので、ノズル本体４０を所望する方向に向け、トリガ４を押圧操作することによって上方の所望する方向に噴霧することができる。
製品の輸送時や、使用後の格納時には、ノズル本体４０は、ノズル保持筒２１と同一方向に位置するようにされ、スパイラルパイプ４１は、密に捲回されノズル保持筒２１内に収納されるので、安全に保護される。
【００２３】
【発明の効果】
本発明は、上記のように構成されているから、次の効果を奏する。
ノズル本体をノズル保持筒に廻動自在に取着したことによって、容器の姿勢を傾けないでトリガを押圧操作して、水平方向から垂直方向までの角度範囲において所望する方向に噴霧できるようになった。
とくに、噴霧の対称物が上方にあるときには、容器の姿勢を通常の状態に保ちながら、下方から内容物を効果的に噴霧することができるようになった。
【図面の簡単な説明】
【図１】本発明の噴霧器の斜視図である。
【図２】噴霧器の一部断面正面図である。
【図３】図２のＡ−Ａ線における断面側面図である。
【図４】ノズル保持筒の先端部分の縦断正面図である。
【図５】ノズル本体を示す図で、（ａ）は側面図、（ｂ）正面図である。
【図６】ノズル本体を垂直方向に廻動させたときの要部の断面正面図である。
【図７】従来のトリガ式噴霧器の正面図である。
【符号の説明】
Ａ，ａ        噴霧器基体
Ｂ            開閉切替部材
Ｃ，７５      ノズル部材
１，７１      容器
２，          口筒部
３，７０      キャップ
４，７２      トリガ
５，７３      吐出管
６，７４      ノズル取着部材
２０            基部
２１            ノズル保持筒
２２            基板
２３            周壁
２４            嵌合筒
２８            嵌着筒
２９            通孔
３０            上壁
３１ａ，ｂ      側壁
３２            底壁
３３ａ，ｂ      ノズル取着孔
３４            案内溝
３７            切り欠き
４０            ノズル本体
４１            スパイラルパイプ
４２，４３      ジョイント
４４            取付筒
４５            ノズルチップ
４６            ノズルチップ取付体
４７            取付軸
４８            フランジ
５４            ノズル孔
６０，６１      両端部
６２            中間部
【図１】
0003594763.tif 000002
【図２】
0003594763.tif 000003
【図３】
0003594763.tif 000004
【図４】
0003594763.tif 000005
【図５】
0003594763.tif 000006
【図６】
0003594763.tif 000007
【図７】
0003594763.tif 000008